(57)【要約】【課題】単に気化熱を利用して開閉窓から流入する空気の温度を下げることができるようにして、構造が簡単で、かつ、設置コストも安価なグリーンウォーターカーテンを提供する。【解決手段】建物５１の開閉窓５２の上方に横架される水液滲出パイプ１２と、該水液滲出パイプ１２に連結して水液を供給する給水パイプ２２と、水液滲出パイプ１２にその上縁部３３を保持させ、下縁部３４を地面５５側に位置固定させて屋外で植栽されるツル性植物５７のからみつきを自在に設置される網体３２とで構成され、該網体３２は、上側の網目が最小で、下側の網目が最大となるように網目サイズを変化させて編成した。【選択図】図１
2009017800.tif 000002
【特許請求の範囲】
【請求項１】
建物の開閉窓の上方に横架される水液滲出パイプと、
該水液滲出パイプに連結して水液を供給する給水パイプと、
前記水液滲出パイプにその上縁部を保持させ、下縁部を地面側に位置固定させて屋外で植栽されるツル性植物のからみつきを自在に設置される網体とで構成され、
該網体は、前記水液滲出パイプから滲み出る水液の流下を自在に編成したことを特徴とするグリーンウォーターカーテン。
【請求項２】
前記網体は、上側の網目が最小で、下側の網目が最大となるように網目サイズを変化させて編成したグリーンウォーターカーテン。
【請求項３】
前記網体の最小網目領域は、その下縁部に次の網目サイズの網目領域の上縁部上を覆うように延設された重ね合わせ部を備える請求項２に記載のグリーンウォーターカーテン。
【請求項４】
前記網体は、多数個の輪部を連ねた鎖状に編んで高い引っ張り強度を保持させて左右方向に配列される多数本の縦糸部と、
保水力に富むように束ねられた糸状繊維を前記縦糸部の個々の輪部に横方向から挿通して上下方向に配列される多数本の横糸部とで編成した請求項１ないし３のいずれかに記載のグリーンウォーターカーテン。
【請求項５】
前記網体は、最小網目領域を除く面領域を、相互に交差配置される斜行糸部として編成した請求項２または３に記載のグリーンウォーターカーテン。
【発明の詳細な説明】
【技術分野】
【０００１】
本発明は、開閉窓を備える校舎等の建物の屋外に植栽されるツル性植物をからみつかせるために設置される網体を利用して水液を流下させることで、その際の気化熱により空気温度を下げて開閉窓から室内に冷風として送り込めるようにしたグリーンウォーターカーテンに関する技術である。
【背景技術】
【０００２】
近年、夏の暑さは、地球温暖化の影響もあって年々耐え難いものになってきている。このため、夏場は、エアコンを活用して室内温度を下げて生活せざるを得なくなり、電力使用量もうなぎ登りに増大する傾向にある。
【０００３】
しかも、エアコンは、熱交換器を介して屋外に高い温度の空気を排出するので、それでなくてもコンクリートで覆われてヒートアイランド現象を引き起こしている屋外温度を、さらに高めるという悪循環に陥っている。
【０００４】
一方、下記特許文献１には、建物の開閉窓から屋内に流入する熱量を効果的に低減して、室内を快適な温度にするとともに、冷房効率の向上をも図ることができる建物の窓部の断熱装置が開示されている。
【特許文献１】特開平５−１１３０８１号公報
【発明の開示】
【発明が解決しようとする課題】
【０００５】
しかし、上記特許文献１に開示されている技術は、冷水を流下させる散液管を窓枠の上枠体に設け、下枠体に到達した水を廃液管に回収させる集液樋を下枠体に設けることで、屋内に流入する熱量を低減しようとするものであり、非常に構造が複雑で、設置コストも高くなる不都合があった。
【０００６】
本発明は、従来技術にみられた上記課題に鑑み、単に気化熱を利用して開閉窓から流入する空気の温度を下げることができるようにすることで、構造が簡単で、かつ、設置コストも安価なグリーンウォーターカーテンを提供することを目的とする。
【課題を解決するための手段】
【０００７】
本発明は、上記目的を達成すべくなされたものであり、建物の開閉窓の上方に横架される水液滲出パイプと、該水液滲出パイプに連結して水液を供給する給水パイプと、前記水液滲出パイプにその上縁部を保持させ、下縁部を地面側に位置固定させて屋外で植栽されるツル性植物のからみつきを自在に設置される網体とで構成され、該網体は、前記水液滲出パイプから滲み出る水液の流下を自在に編成したことを最も主要な特徴とする。
【０００８】
また、前記網体は、上側の網目が最小で、下側の網目が最大となるように網目サイズを変化させて編成するのが好ましく、その場合における前記網体の最小網目領域は、その下縁部に次の網目サイズの網目領域の上縁部上を覆うように延設された重ね合わせ部を具備させるのが望ましい。
【０００９】
さらに前記網体は、多数個の輪部を連ねた鎖状に編んで高い引っ張り強度を保持させて左右方向に配列される多数本の縦糸部と、保水力に富むように束ねられた糸状繊維を前記縦糸部の個々の輪部に横方向から挿通して上下方向に配列される多数本の横糸部とで編成したり、最小網目領域を除く面領域を、相互に交差配置される斜行糸部として編成したりすることができる。
【発明の効果】
【００１０】
本発明によれば、網体を水液が流下する際の気化熱により冷やされた空気による冷風効果を得ることができるので、環境に優しい優れた冷却効果を発揮させることができる。
【発明を実施するための最良の形態】
【００１１】
図１は、本発明の一例についての概要側面図である。図２は、本発明を構成する水液滲出パイプの一例を示す説明図であり、そのうちの（ａ）は全体斜視図を、（ｂ）は要部分解斜視図をそれぞれ示す。
【００１２】
これらの図によれば、グリーンウォーターカーテン１１の全体は、建物５１の開閉窓５２の上方に横架される水液滲出パイプ１２と、該水液滲出パイプ１２に連結して水液を供給する給水パイプ２２と、水液滲出パイプ１２にその上縁部３３を保持させ、下縁部３４を地面５５側に位置固定させて屋外で植栽されるツル性植物５７のからみつきを自在に設置される網体３２とで構成されている。
【００１３】
このうち、例えば株式会社カクダイ製の「潅水ポーラスパイプドリップチューブ」などを用いて形成される水液滲出パイプ１２は、設置される建物５１の具体的な状況との関係で定まる適宜の長さが付与されて、例えば図２（ａ）に示すようにして形成されている。また、水液滲出パイプ１２をより長くして横架する必要があるば場合には、図２（ｂ）に示すように複数本の水液滲出パイプ１２を例えば６０ｍｍの長さの連結ソケット１３を介して連結することで対応させることができる。なお、水液滲出パイプ１２の終端は、止水蓋１４を用いて塞がれている。
【００１４】
可撓ホースなどからなる給水パイプ２２は、その始端側が図示しない水道蛇口などに連結され、終端側が止着材２３を介して水液滲出パイプ１２の始端側に連結されている。
【００１５】
一方、ポリエステル繊維などを用いて編成される網体３２は、略平行に配列される多数本の縦糸部３５と、略平行に配列される多数本の横糸部３７とで編成されている。しかも、網体３２は、図３に示されているように上側の網目３８が最小で、下側の網目３８が最大となるように網目サイズを変化させて編成されている。
【００１６】
この場合の網目サイズは、図１および図３にＡとして示す面領域の各網目サイズが例えば１ｍｍ、Ｂとして示す面領域が例えば３ｍｍ、Ｃとして示す面領域が例えば６ｍｍ、Ｄとして示す面領域が例えば１０ｍｍとするなど、下に行くほど大きくなる網目サイズとなる。なお、網体３２の縦方向長さを建物５１との関係でより長くする必要がある場合には、図３にＤとして示す面領域を、さらに二分してその下側の面領域の網目サイズを例えば３０ｍｍとするなど、所望に応じて適宜変化させることができる。そして、網体３２は、網目サイズが大きくなるにつれて、縦糸部３５と横糸部３７との太さも次第に太くすることができる。なお、図１中の符号３９は、網目サイズを異にする各境界領域に形成される縫合部を示す。
【００１７】
また、網体３２においてＡとして示される最小網目サイズの面領域は、浸透した水液の円滑な流下に寄与させるため、Ｂとして示される次の網目サイズの面領域の上縁部４７上を覆うように延設された重ね合わせ部４６をその下縁部４５側に具備させておくこともできる。
【００１８】
この場合、網体３２は、図４に示されているように多数個の輪部３６を連ねた鎖状に編んで高い引っ張り強度を保持させて左右方向に縦列配置される多数本の縦糸部３５と、保水力に富むように束ねられたポリエステル繊維などの糸状繊維を縦糸部３５の個々の輪部３６に横方向から挿通して上下方向に横列配列される多数本の横糸部３７とで編成するのが好ましい。なお、図４における符号３７ａは、最も外側に位置する縦糸部３５に対する止着部を示す。
【００１９】
図５は、網体３２の他例を図３に対応させて示す正面図である。同図によれば、網体３２は、Ａとして示す最小網目領域を除いたＢとして示される面領域を、一方の斜行糸部４３と他方の斜行糸部４４とを相互に交差配置させた位置関係のもとで編成されている。
【００２０】
この場合、網体３２においてＡとして示される最小網目領域は、Ｂとして示される次の網目サイズの網目領域の上縁部４７上を覆うように延設された重ね合わせ部４６をその下縁部４５側に備えている。なお、この例においても、網体３２は、図３に示すような網目サイズのもとで編成したり、図４に示すような編成構造を採用することができる。
【００２１】
また、このようにして編成された網体３２は、図１に示すように水液滲出パイプ部１２にその上縁部３３を二巻き以上巻き付けた上で、ビニール性の補助カバー１６を縫着することで水液滲出パイプ部１２側と一体化されている。なお、補助カバー１６の表出面は、プラスチックカバーで覆うこともできる。
【００２２】
また、網体３２が巻き付けられた水液滲出パイプ部１２は、Ｓ字フックなどの掛止具１７を例えば３００〜４００ｍｍ程度の間隔をおいた複数箇所に取り付けた上で、建物５１に配設されている掛止環などの各掛止片１８に各別に掛止させることで横架配置することができる。なお、水液滲出パイプ部１２の取り付けは、補助カバー１６を建物５１側に向けた配置関係で行われることになる。
【００２３】
このようにして上縁部３３を水液滲出パイプ部１２側に保持させた網体３２は、地面５５に置かれている例えばコンクリート製などのような重量のあるプランター５６側に杭を打ち込むなどしてその下縁部３４を位置固定することができる。なお、網体３２は、その下縁部３４側を直接、地面５５側に杭を用いるなどして位置固定することもできる。
【００２４】
次に、上記構成からなる本発明の作用・効果を説明すれば、網体３２の上縁部３３を巻き付けて補助カバー１６が逢着された水液滲出パイプ部１２は、その始端側に給水パイプを連結した上で、建物５１の開閉窓５２の上側に掛止具１７を掛止片１８に掛止させることで横架配置される。
【００２５】
また、網体３２の上縁部３３は、地面５５側との間に内角θが例えば７０〜８０度となる傾斜角度を確保した状態のもとで、朝顔などのツル性植物５７が植栽されているコンクリート製のプランター５６側に杭などを用いて位置固定され、網体３２の全体が図１に示すような状態のもとで設置される。
【００２６】
このようにして網体３２の設置を終えた後は、給水パイプ２２を介して水道蛇口側などから水液滲出パイプ部１２に水液を供給する。該水液滲出パイプ部１２内の供給された水液は、その周面側からじわじわと滲みだし、補助カバー１７の内側面１７ａに案内されながら網体３２側に流下していく。
【００２７】
網体３２は、上側の網目３８が最小で、下側の網目３８が最大となるように網目サイズを変化させて編成してあるので、水液をより多く、かつ、速く流下させながらその全域に亘りたっぷりと保水させることができる。
【００２８】
しかも、網体３２は、下側の網目３８が例えば３０ｍｍというように最大となっているので、未だ十分に育っていないツル性植物５７であっても確実にからみつかせることもできる。
【００２９】
このため、４〜５月頃に網体３２を用いてグリーンウォーターカーテン１１を形成しておくならば、ツル性植物５７が開閉窓５２を覆う位置にまで達しない５月下旬頃に地球温暖化による真夏日を迎えることがあっても、流下する水液が気化する際に気化熱を奪う結果、網目３８を通過する空気が４〜５℃程度冷やされて開閉窓５２から室内に冷風として流れ込ませてやることができる。
【００３０】
また、ツル性植物５７が開閉窓５２を覆う位置にまで十分に伸びた際には、夏の日差しを効果的に遮ることができるほか、網体３２を水液が流下する際の気化熱により冷やされた空気による冷風効果も同時に得ることができ、環境に優しい優れた冷却効果を発揮させることができる。
【００３１】
以上は、図示例に基づいて本発明を説明したものであり、その具体的な内容は、これに限定されるものではない。例えば、網体３２は、学校などのような２〜３階建ての建物５１だけでなく、ベランダなどのような狭い空間を利用して設置することもできる。また、網体３２の網目サイズは、建物の高さとの関係で定まる例えば６種類以上の大きさのものを採用することもできる。さらに、網体３２は、図１に示す格子状や図５に示す菱形状のもののほか、その他の適宜の編みパターンのもとで編成することもできる。また、網体の編成構造は、図示例以外の通常の網のようにして編成するものであってもよい。
【図面の簡単な説明】
【００３２】
【図１】本発明の一例についての概要側面図。
【図２】本発明を構成する水液滲出パイプの一例を一例を示す説明図であり、そのうちの（ａ）は全体斜視図であり、（ｂ）は分解して示す要部斜視図である。
【図３】本発明の一例を一部を省略して示す正面図。
【図４】網体の編成構造の一例を要部を拡大して示す説明図。
【図５】本発明の他例を一部を省略して示す正面図。
【符号の説明】
【００３３】
１１  グリーンウォーターカーテン
１２  水液滲出パイプ
１３  連結ソケット
１４  止水蓋
１６  補助カバー
１７  掛止具
１８  掛止片
２２  給水パイプ
２３  止着片
３２  網体
３３  上縁部
３４  下縁部
３５  縦糸部
３６  輪部
３７  横糸部
３７ａ  止着部
３８  網目
３９  縫合部
４３，４４  斜行糸部
４５  下縁部
４６  重ね合わせ部
４７  上縁部
５１  建物
５２  開閉窓
５５  地面
５６  プランター
５７  ツル性植物
【図１】
2009017800.tif 000003
【図２】
2009017800.tif 000004
【図３】
2009017800.tif 000005
【図４】
2009017800.tif 000006
【図５】
2009017800.tif 000007
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
建物の開閉窓の上方に横架される水液滲出パイプと、
該水液滲出パイプに連結して水液を供給する給水パイプと、
前記水液滲出パイプにその上縁部を保持させ、下縁部を地面側に位置固定させて屋外で植栽されるツル性植物のからみつきを自在に設置される網体とで構成され、
該網体は、前記水液滲出パイプから滲み出る水液の流下を自在に編成したことを特徴とするグリーンウォーターカーテン。
【請求項２】
前記網体は、上側の網目が最小で、下側の網目が最大となるように網目サイズを変化させて編成した請求項１に記載のグリーンウォーターカーテン。
【請求項３】
前記網体の最小網目領域は、その下縁部に次の網目サイズの網目領域の上縁部上を覆うように延設された重ね合わせ部を備える請求項２に記載のグリーンウォーターカーテン。
【請求項４】
前記網体は、多数個の輪部を連ねた鎖状に編んで高い引っ張り強度を保持させて左右方向に配列される多数本の縦糸部と、
保水力に富むように束ねられた糸状繊維を前記縦糸部の個々の輪部に横方向から挿通して上下方向に配列される多数本の横糸部とで編成した請求項１ないし３のいずれかに記載のグリーンウォーターカーテン。
【請求項５】
前記網体は、最小網目領域を除く面領域を、相互に交差配置される斜行糸部として編成した請求項２または３に記載のグリーンウォーターカーテン。